(57)【要約】      （修正有）【課題】噴射水がカメラに付着することによる撮影画像が不鮮明になるという視野の乱れを防止する歯科用ハンドピースを提供する。【解決手段】空気噴射管１６は、ヘッド部１１からヘッド部１１の先端までに設けられ、空気を導く。管保持部１７は、空気噴射管１６をヘッド部１１に保持する。空気噴射孔１８は、ヘッド部１１の先端の外面に設けられ、空気噴射管１６の先端に連通して接続され、空気を本体部１０の長手方向に沿って外部に噴射するように、本体部１０の長手方向に沿って開口される。空気噴射制御部１９は、歯科医がハンドピース１を持った場合に、歯科医の手の指が当たる本体部１０の外面に設けられ、歯科医の手の指の操作により、空気が供給される管に対して空気噴射管１６の基端との連通を制御することで、空気噴射管１６へ空気を導入したり、空気の導入を停止させたりする。【選択図】図１
0003225830.tif 000002
【実用新案登録請求の範囲】
【請求項１】
円筒状の本体部と、
前記本体部の長手方向の先端に設けられたヘッド部と、
前記ヘッド部の内部に設けられ、前記本体部の長手方向と直角方向に回転軸を有するエアータービンと、
前記エアータービンの回転軸方向に沿って設けられ、前記エアータービンの回転に従って回転するドリルと、
歯科治療ユニットのエアーポンプに接続され、前記本体部の内部で、当該本体部の長手方向に沿って設けられ、先端が前記エアータービンに向かって配置され、当該先端から空気を噴射する空気流路管と、
歯科治療ユニットのウォーターポンプに接続され、前記本体部の内部で、当該本体部の長手方向に沿って設けられ、先端が前記ドリルに向かって配置され、当該先端から水を噴射する水流路管と、
前記ヘッド部の所定位置から前記ヘッド部の先端までに設けられ、空気を導く空気噴射管と、
前記空気噴射管を前記ヘッド部に保持する管保持部と、
前記ヘッド部の先端の外面に設けられ、前記空気噴射管の先端に連通して接続され、空気を前記本体部の長手方向に沿って外部に噴射するように、前記本体部の長手方向に沿って開口される空気噴射孔と、
歯科医が本ハンドピースを持った場合に、当該歯科医の手の指が当たる前記本体部の外面に設けられ、当該歯科医の手の指の操作により、空気が供給される管と前記空気噴射管の基端との連通を制御することで、前記空気噴射管へ空気を導入したり、当該空気の導入を停止させたりする空気噴射制御部と、
を備える歯科用ハンドピース。
【請求項２】
円筒状の本体部と、
前記本体部の長手方向の先端に設けられたヘッド部と、
前記ヘッド部の内部に設けられ、前記本体部の長手方向と直角方向に回転軸を有するエアータービンと、
前記エアータービンの回転軸方向に沿って設けられ、前記エアータービンの回転に従って回転するドリルと、
歯科治療ユニットのエアーポンプに接続され、前記本体部の内部で、当該本体部の長手方向に沿って設けられ、先端が前記エアータービンに向かって配置され、当該先端から空気を噴射する空気流路管と、
歯科治療ユニットのウォーターポンプに接続され、前記本体部の内部で、当該本体部の長手方向に沿って設けられ、先端が前記ドリルに向かって配置され、当該先端から水を噴射する水流路管と、
前記本体部と前記ヘッド部との内部に設けられ、先端が前記ヘッド部の内部に延出され、基端が前記空気流路管の中央部の周辺に設けられた空気噴射管と、
前記ヘッド部の外面で、前記空気噴射管の先端に連通して接続され、空気を前記本体部の長手方向に沿って外部に噴射するように、前記本体部の長手方向に沿って開口された空気噴射孔と、
前記空気流路管の中央部を切り替えることで、前記空気流路管の基端から中央部までの第一の空気流路を、前記空気流路管の中央部から先端までの第二の空気流路に接続するか、前記空気流路管の中央部から前記空気噴射管の基端を介して前記空気噴射管の先端までの第三の空気流路に接続するかを切り替える管接続切替部と、
前記水流路管の一部を開閉することで、前記水流路管の一部の第一の水流路の開閉を切り替える管開閉切替部と、
歯科医がハンドピースを持った場合に、当該歯科医の手の指が当たる本体部の外面に設けられ、当該歯科医の手の指の操作により、前記第一の空気流路を前記第二の空気流路に接続するとともに、前記第一の水流路を開放する歯科治療モードと、前記第一の空気流路を前記第三の空気流路に接続するとともに、前記第一の水流路を閉塞する空気噴射モードとのいずれかに変更する空気噴射制御部と、
を備える歯科用ハンドピース。
【考案の詳細な説明】
【技術分野】
【０００１】
本考案は、歯科用ハンドピースに関する。
【背景技術】
【０００２】
従来より、歯科治療では、デンタルミラーで治療対象歯を見ながら、歯科用ハンドピースで当該治療対象歯を切削するが、歯科用ハンドピースは、ヘッド部に内蔵されたエアータービンを（加圧）空気で回転させることで、エアータービンに固定されたドリルを回転させながら、ヘッド部に案内された（加圧）水をドリルに向かって噴射することで、治療対象歯を切削し、歯科治療を行う。
【０００３】
ここで、歯科用ハンドピースのヘッド部からの噴射水がデンタルミラーに付着し、デンタルミラーが曇って、視野が乱れるという課題がある。又、治療対象歯を撮影するカメラを内蔵した歯科用ハンドピースであっても、噴射水がカメラに付着し、撮影画像が不鮮明になるという課題がある。このような噴射水による視野の乱れを防止するための技術は多数存在する。
【０００４】
例えば、特開２０１５−２９６９４号公報（特許文献１）には、ハンドピース本体部と、空気流路系と、水流路系と、カメラ用の撮像窓と、内蔵カメラと、撮像光学系と、を有する撮像窓曇り防止機能付カメラ内蔵ハンドピースが開示されている。ハンドピース本体部は、患部治療用の切削工具が着脱可能に装着されるヘッド部を先端側に備えている。空気流路系は、ヘッド部に圧縮空気を導き、水流路系は、切削工具に向けて噴射する水流用の加圧水を導く。撮像窓は、ヘッド部の切削工具の装着位置の周辺領域に設け、内蔵カメラは、この撮像窓を経て入射する患部画像情報を撮像する。撮像光学系は、撮像窓の内側から内蔵カメラに至る範囲に配置している。そして、このハンドピースは、撮像窓の周辺位置に、空気流路系から分岐され、撮像窓の外面から切削工具による切削部位に至る領域範囲内に空気流を噴射して、撮像窓の外面、切削部位間を空気流により遮蔽し、撮像窓外面の曇り防止を行う曇り防止空気流路機構を設けている。これにより、エアータービン、超音波スケーラ等のハンドピースのように、患部治療用の切削工具が着脱可能に装着されるヘッド部を先端側に備えるハンドピースにおいて、患部の切削加工を行う際に生じる切削屑や水滴が前記撮像窓の外面に付着することを曇り防止空気流路機構による空気流で遮り、撮像窓の曇りを防止し、これにより、撮像窓から撮像光学系を経てカメラに導光して、鮮明なカラー画像を撮像することが可能な撮像窓曇り防止機能付カメラ内蔵ハンドピースを提供することが出来るとしている。
【０００５】
又、国際公開第２０１８／０６１４１２号（特許文献２）には、歯科ハンドピース本体に備えられる空気噴射装置が開示されている。空気噴射装置は、内側に流路が形成された柱状の中継コネクタと、一端が中継コネクタに接続された可撓性を有する管状の空気誘導管と、空気誘導管を歯科ハンドピース本体に保持する手段と、を備え、中継コネクタは、流路が分岐され、その１つが空気誘導管に連通している。これにより、搭載される映像取り込み部の位置が変わっても空気の噴出口を追従させることができ、鮮明な映像を取得することが可能となるとしている。
【先行技術文献】
【特許文献】
【０００６】
【特許文献１】特開２０１５−２９６９４号公報
【特許文献２】国際公開第２０１８／０６１４１２号
【考案の概要】
【考案が解決しようとする課題】
【０００７】
上述のように、歯科治療では、通常、歯科用ハンドピースのヘッド部からの噴射水がデンタルミラーに付着し、歯科治療の妨げになるという課題がある。そのような場合、デンタルミラーをタオルで拭く必要があり、歯科医に手間や時間が掛かるという課題がある。
【０００８】
特許文献１に記載の技術では、空気流路系から分岐された空気誘導管から空気流を撮影範囲に噴射することで、切削部分の様子の映像を鮮明に取得する。又、特許文献２に記載の技術では、空気流路系から分岐した曇り防止用空気流路により撮影窓に空気流を噴射して、撮影窓に付着の水滴を除去する。しかしながら、これらの技術では、空気流を常時噴射し続けることになり、冷却水管からの噴射水も伴うため、例えば、必要に応じて、デンタルミラーに付着の水滴等を容易に除去することが出来ないという課題がある。
【０００９】
そこで、本考案は、上述の課題を解決するためになされたものであり、歯科医の手の指の操作だけで、歯科治療中にデンタルミラーに付着の水滴等を容易に除去することが可能な歯科用ハンドピースを提供することを目的とする。
【課題を解決するための手段】
【００１０】
本考案者は、鋭意研究を重ねた結果、本考案に係る新規な歯科用ハンドピースを完成させた。即ち、本考案に係る歯科用ハンドピースは、本体部と、ヘッド部と、エアータービンと、ドリルと、空気流路管と、水流路管と、空気噴射管と、管保持部と、空気噴射孔と、空気噴射制御部と、を備える。本体部は、円筒状であり、ヘッド部は、前記本体部の長手方向の先端に設けられる。エアータービンは、前記ヘッド部の内部に設けられ、前記本体部の長手方向と直角方向に回転軸を有する。ドリルは、前記エアータービンの回転軸方向に沿って設けられ、前記エアータービンの回転に従って回転する。空気流路管は、歯科治療ユニットのエアーポンプに接続され、前記本体部の内部で、当該本体部の長手方向に沿って設けられ、先端が前記エアータービンに向かって配置され、当該先端から空気を噴射する。水流路管は、歯科治療ユニットのウォーターポンプに接続され、前記本体部の内部で、当該本体部の長手方向に沿って設けられ、先端が前記ドリルに向かって配置され、当該先端から水を噴射する。空気噴射管は、前記ヘッド部の所定位置から前記ヘッド部の先端までに設けられ、空気を導き、管保持部は、前記空気噴射管を前記ヘッド部に保持する。空気噴射孔は、前記ヘッド部の先端の外面に設けられ、前記空気噴射管の先端に連通して接続され、空気を前記本体部の長手方向に沿って外部に噴射するように、前記本体部の長手方向に沿って開口される。空気噴射制御部は、歯科医が本ハンドピースを持った場合に、当該歯科医の手の指が当たる前記本体部の外面に設けられ、当該歯科医の手の指の操作により、空気が供給される管と前記空気噴射管の基端との連通を制御することで、前記空気噴射管へ空気を導入したり、当該空気の導入を停止させたりする。
【００１１】
又、本考案に係る歯科用ハンドピースは、本体部と、ヘッド部と、エアータービンと、ドリルと、空気流路管と、水流路管と、空気噴射管と、空気噴射孔と、管接続切替部と、管開閉切替部と、空気噴射制御部と、を備える。空気噴射管は、前記本体部と前記ヘッド部との内部に設けられ、先端が前記ヘッド部の内部に延出され、基端が前記空気流路管の中央部の周辺に設けられる。空気噴射孔は、前記ヘッド部の外面で、前記空気噴射管の先端に連通して接続され、空気を前記本体部の長手方向に沿って外部に噴射するように、前記本体部の長手方向に沿って開口される。管接続切替部は、前記空気流路管の中央部を切り替えることで、前記空気流路管の基端から中央部までの第一の空気流路を、前記空気流路管の中央部から先端までの第二の空気流路に接続するか、前記空気流路管の中央部から前記空気噴射管の基端を介して前記空気噴射管の先端までの第三の空気流路に接続するかを切り替える。管開閉切替部は、前記水流路管の一部を開閉することで、前記水流路管の一部の第一の水流路の開閉を切り替える。空気噴射制御部は、歯科医がハンドピースを持った場合に、当該歯科医の手の指が当たる本体部の外面に設けられ、当該歯科医の手の指の操作により、前記第一の空気流路を前記第二の空気流路に接続するとともに、前記第一の水流路を開放する歯科治療モードと、前記第一の空気流路を前記第三の空気流路に接続するとともに、前記第一の水流路を閉塞する空気噴射モードとのいずれかに変更する。
【考案の効果】
【００１２】
本考案によれば、歯科医の手の指の操作だけで、歯科治療中にデンタルミラーに付着の水滴等を容易に除去することが可能となる。
【図面の簡単な説明】
【００１３】
【図１】本考案の第一の実施形態に係る歯科用ハンドピースの全体の側面断面図とヘッド部の正面図とである。
【図２】本考案の第一の実施形態に係る歯科用ハンドピースにおいてドリルが回転中の歯科用ハンドピースの全体の側面断面図（図２Ａ）と、本考案の第一の実施形態に係る歯科用ハンドピースにおいて片手で歯科用ハンドピースを持った歯科医が空気噴射制御部を操作した際の歯科用ハンドピースの全体の斜視図（図２Ｂ）と、である。
【図３】本考案の第一の実施形態に係る歯科用ハンドピースにおいて歯科治療中の歯科医の両手と歯との斜視図である。
【図４】本考案の第一の実施形態に係る歯科用ハンドピースにおいて空気噴射中の歯科用ハンドピースの全体の側面断面図（図４Ａ）と、本考案の第一の実施形態に係る歯科用ハンドピースにおいて片手で歯科用ハンドピースを持った歯科医が空気噴射制御部を操作した際の歯科用ハンドピースの全体の斜視図（図４Ｂ）と、である。
【図５】本考案の第一の実施形態に係る歯科用ハンドピースにおいて空気噴射中の歯科医の両手と歯との斜視図である。
【図６】本考案の第一の実施形態に係る歯科用ハンドピースにおいて空気噴射管の別の構成の側面断面図（図６Ａ）と、本考案の第一の実施形態に係る歯科用ハンドピースにおいて空気噴射管の別の構成の平面図（図６Ｂ）と、である。
【図７】本考案の第一の実施形態に係る歯科用ハンドピースにおいて空気噴射管を空気流路管の一部に接続した場合の側面断面図（図７）と、である。
【図８】本考案の第一の実施形態に係る歯科用ハンドピースにおいて空気噴射管をドリル用空気流路管に接続する場合の管保持部の斜視図と接続前後の側面断面図（図８Ａ）と、本考案の第一の実施形態に係る歯科用ハンドピースにおいて空気噴射管をドリル用空気流路管に接続する場合の接続前後の底面図（図８Ｂ）と、である。
【図９】本考案の第二の実施形態に係る歯科用ハンドピースの全体の側面断面図とヘッド部の正面図とである。
【図１０】本考案の第二の実施形態に係る歯科用ハンドピースにおいてドリル回転中の歯科用ハンドピースの全体の側面断面図（図１０Ａ）と、本考案の第二の実施形態に係る歯科用ハンドピースにおいて片手で歯科用ハンドピースを持った歯科医が空気噴射制御部を操作した際の歯科用ハンドピースの全体の斜視図（図１０Ｂ）と、である。
【図１１】本考案の第二の実施形態に係る歯科用ハンドピースにおいて歯科治療中の歯科医の両手と歯との斜視図である。
【図１２】本考案の第二の実施形態に係る歯科用ハンドピースにおいて空気噴射中の歯科用ハンドピースの全体の側面断面図（図１２Ａ）と、本考案の第二の実施形態に係る歯科用ハンドピースにおいて片手で歯科用ハンドピースを持った歯科医が空気噴射制御部を操作した際の歯科用ハンドピースの全体の斜視図（図１２Ｂ）と、である。
【図１３】本考案の第二の実施形態に係る歯科用ハンドピースにおいて空気噴射中の歯科医の両手と歯との斜視図である。
【図１４】突出部の押下により歯科治療モードになり、突出部の不押下により空気噴射モードになる場合の歯科用ハンドピースの全体の側面断面図（図１４Ａ）と、空気閉塞弁と水閉塞弁とを用いた場合の歯科用ハンドピースの全体の側面断面図（図１４Ｂ）と、である。
【考案を実施するための形態】
【００１４】
以下に、添付図面を参照して、本考案の実施形態について説明し、本考案の理解に供する。尚、以下の実施形態は、本考案を具体化した一例であって、本考案の技術的範囲を限定する性格のものではない。
【００１５】
＜第一の実施形態＞
本考案に係る歯科用ハンドピース１は、図１に示すように、本体部１０と、ヘッド部１１と、エアータービン１２と、ドリル１３と、空気流路管１４と、水流路管１５と、を備える。
【００１６】
本体部１０は、円筒状であり、ヘッド部１１は、本体部１０の長手方向の先端に設けられている。エアータービン１２は、ヘッド部１１の内部に設けられ、本体部１１の長手方向と直角方向に回転軸１２ａを有する。ドリル１３は、エアータービン１２の回転軸方向に沿って設けられ、エアータービン１２の回転に従って回転する。
【００１７】
空気流路管１４は、歯科治療ユニットのエアーポンプに接続され、本体部１０の内部で、当該本体部１０の長手方向に沿って設けられ、先端がエアータービン１３に向かって配置され、当該先端から空気を噴射する。水流路管１５は、歯科治療ユニットのウォーターポンプに接続され、本体部１０の内部で、当該本体部１０の長手方向に沿って設けられ、先端がドリル１３に向かって配置され、当該先端から水を噴射する。
【００１８】
そして、本考案の第一の実施形態に係る歯科用ハンドピース１は、空気噴射管１６と、管保持部１７と、空気噴射孔１８と、空気噴射制御部１９と、を備える。
【００１９】
空気噴射管１６は、ヘッド部１１の所定位置からヘッド部１１の先端までに設けられ、空気を導く。管保持部１７は、空気噴射管１６をヘッド部１１に保持する。空気噴射孔１８は、ヘッド部１１の先端の外面に設けられ、空気噴射管１６の先端に連通して接続され、空気を本体部１０の長手方向に沿って外部に噴射するように、本体部の長手方向に沿って開口される。空気噴射制御部１９は、歯科医がハンドピース１を持った場合に、当該歯科医の手の指が当たる本体部１０の外面に設けられ、当該歯科医の手の指の操作により、空気が供給される管と空気噴射管１６の基端との連通を制御することで、空気噴射管１６へ空気を導入したり、当該空気の導入を停止させたりする。
【００２０】
これにより、歯科医の手の指の操作だけで、歯科治療中にデンタルミラーに付着の水滴等を容易に除去することが可能となる。
【００２１】
即ち、歯科医が歯科治療を行う際に、図２Ａ、図２Ｂに示すように、本体部１０の外面の空気噴射制御部１９を操作し、空気噴射管１６への空気の導入を停止する。次に、歯科医は、空気流路管１４の一部に設けられた空気開閉弁１４ａと、水流路管１５の一部に設けられた水開閉弁１５ａとを操作するスイッチ１４５（例えば、フットペダル）を操作することで（例えば、足で踏むことで）、空気開閉弁１４ａを開放するとともに、水開閉弁１５ａを開放する。
【００２２】
すると、歯科治療ユニットのエアーポンプからの空気が空気流路管１４に導入されるとともに、歯科治療ユニットのウォーターポンプからの水が水流路管１５に導入される。空気流路管１４に導入された空気が空気流路管１４の先端から噴射することで、エアータービン１２の回転とドリル１３の回転を可能とする。又、水流路管１５に導入された水が水流路管１５の先端から噴射することで、ドリル１３に当たり、通常の歯科治療が可能となる。尚、エアータービン１２に噴射された空気は、図示しない空気放出路により外部に放出される場合はある。
【００２３】
歯科医は、歯を治療する際に、例えば、右手で歯科用ハンドピース１を握り、左手でデンタルミラー２を握り、図３に示すように、歯科医は、デンタルミラー２のミラー部２ａを治療対象歯Ｔの周囲に配置して、歯科用ハンドピース１のドリル１３を治療対象歯Ｔに当てて歯科治療する。ミラー部２ａでは、治療対象歯Ｔが映し出される。ドリル１３は回転し、且つ、水はドリル１３に噴射されることから、水による切削屑の吹き飛ばしにより、歯科医は歯科治療を行うことが出来る。
【００２４】
ここで、歯科治療中に、歯科用ハンドピース１のドリル１３に噴射した水滴や切削屑がデンタルミラー２のミラー部２ａに付着し、ミラー部２ａが曇り、視界不良が生じたとする。この場合、通常であれば、歯科医は、歯科治療を中断し、歯科用ハンドピース１を置いて、曇ったミラー部２ａをタオルで拭いて、ミラー部２ａの曇りを解消したり、切削屑を除去したりする。そして、右手で歯科用ハンドピース１を握り、左手でデンタルミラー２を握って、歯科治療を再開するが、このような一連の作業は、非常に手間と時間が掛かる。
【００２５】
そこで、図４Ａ、図４Ｂに示すように、歯科医が、手の指を使って、本体部１０の外面の空気噴射制御部１９を操作し、空気噴射管１６への空気の導入を開始する。すると、空気噴射管１６を介して、ヘッド部１１に設けられた空気噴射孔１８から空気が本端部１０の長手方向に沿って噴射する。
【００２６】
歯科医は、片手で歯科用ハンドピース１のヘッド部１１の空気噴射孔１８を、曇ったミラー部２ａに近づけることで、空気噴射孔１８から噴射する空気が、ミラー部２ａに付着の水滴や切削屑等を吹き飛ばす。これにより、歯科医が、歯科用ハンドピース１を置いて、曇ったミラー部２ａをタオルで拭く等の一連の作業をすることなく、デンタルミラー２のミラー部２ａに付着の水滴等を容易に除去することが可能となる。
【００２７】
又、空気噴射制御部１９は、歯科医の手の指で操作可能な位置に設けられていることから、歯科医は、片手で空気噴射孔１８から空気を簡単に噴射させることが可能となり、操作性に優れる。更に、空気噴射孔１８が、空気を本体部１０の長手方向に沿って外部に噴射するように、本体部１０の長手方向に沿って開口されるため、歯科医は、歯科用ハンドピース１の本体部１０を棒にして取り扱い、ヘッド部を、対象部位（ミラー部２ａを含む）に近づけることで、簡単に対象部位に付着の水滴や切削屑を吹き飛ばして清掃することが出来て、取扱性に優れる。
【００２８】
又、管保持部１７により、既存の歯科用ハンドピース１に外付け可能であるため、空気噴射機能を歯科用ハンドピース１に持たせたい場合に、容易に取り付け可能となる。
【００２９】
ここで、空気噴射制御部１９の構成に特に限定は無いが、例えば、図１−図５に示すように、空気噴射制御部１９は、本体部１０の外面で、本体部１０の幅方向（径方向）に沿って押圧可能な突出部１９ａ（スイッチ）と、空気噴射管１６の一部に設けられた空気噴射管開閉弁１９ｂと、突出部１９ａの押下又は不押下により、空気噴射管開閉弁１９ｂの開閉を制御する開閉切替部１９ｃと、を備える。開閉切替部１９ｃは、例えば、図２−図３に示すように、突出部１９ａが不押下の場合、空気噴射管開閉弁１９ｂを閉塞とし、図４−図５に示すように、突出部１９ａが押下の場合、空気噴射管開閉弁１９ｂを開放とするが、この逆の構成でも構わない。
【００３０】
又、管保持部１７の構成に特に限定は無いが、例えば、図１−図５に示すように、歯科用ハンドピース１の本体部１０の一部に装着（巻き付け）可能なベルトやクリップ等を挙げることが出来る。図１−図５に示すように、管保持部１７は、歯科用ハンドピース１の本体部１０の一部に装着され、管保持部１７の外面に空気噴射制御部１９が設けられている。そして、空気噴射管１６は、歯科用ハンドピース１の本体部１０の基端からヘッド部１１の先端まで延出され、管保持部１７は、空気噴射制御部１９を介して空気噴射管１６を保持している。
【００３１】
ここで、空気噴射管１６の構成に特に限定は無いが、例えば、図１−図５に示すように、空気噴射管１６は、ヘッド部１１の先端まで延出され、空気噴射管１６の先端である空気噴射孔１８が本体部の長手方向に沿って開口されるように、空気噴射管１６の先端付近をヘッド部１１の外面で曲げて固定しても良い。
【００３２】
又、空気噴射管１６の別の構成として、例えば、図６Ａ、図６Ｂに示すように、空気噴射管１６を歯科用ハンドピース１の本体部１０の基端からヘッド部１１まで延出し、ヘッド部１１の外周に巻き付けて、空気噴射管１６の先端を、空気噴射管１６の巻き付け開始部分１６ａに固定する。そして、空気噴射孔１８は、空気噴射管１６の巻き付け部分１６ｂのうち、ヘッド部１１の先端の外面に設けられ、本体部の長手方向に沿って開口される。このように構成することで、空気噴射孔１８を適切な位置に設けるとともに、空気噴射管１６と空気噴射孔１８との位置をヘッド部１１に強固に固定することが出来る。
【００３３】
又、空気噴射管１６への空気の供給方法に特に限定は無いが、例えば、図１−図６に示すように、空気噴射管１６の基端を、歯科治療ユニットのエアーポンプの一部に接続して、歯科治療ユニットのエアーポンプからの空気を空気噴射管１６に供給しても良いし、図７に示すように、ハンドピース１の本体部１０の一部において、空気流路管１４の一部から分岐された分岐管１４ｂを設け、空気噴射管１６の基端を当該分岐管１４ｂの先端に連通して接続することで、空気流路管１４からの空気を空気噴射管１６に供給しても構わない。
【００３４】
又、図８Ａに示すように、ハンドピース１のヘッド部１１にドリル用空気流路管１４ｃが存在する場合、ドリル用空気流路管１４ｃからの空気を空気噴射管１６に供給しても良い。この場合、管保持部１７は、例えば、断面視でコの字状に形成され、ハンドピース１のヘッド部１１に装着可能で、且つ、ハンドピース１の本体部１０の長手方向にスライド可能に構成される。管保持部１７は、ヘッド部１１又は本体部１０の基端から本体部１０に挿通可能な本体部挿通孔１７ａが設けられる。
【００３５】
又、管保持部１７には、ヘッド部１１のドリル用空気流路管１４ｃからの空気を受けて、ヘッド部１１の先端の外面に対応する位置まで空気を案内する空気噴射管１６が設けられる。管保持部１７には、ヘッド部１１の先端の外面において、空気噴射管１６の先端から本体部の長手方向に沿って開口される空気噴射孔１８が設けられる。そして、管保持部１７には、歯科治療を阻害しないために、ドリル１３が挿通可能なドリル挿通孔１７ｂが設けられ、ヘッド部１１の水流路管１５の先端を開閉可能な水開閉部１７ｃが、水流路管１５の数に応じて設けられる。水開閉部１７ｃは、例えば、水流路管１５の先端の出口となる孔と水流路管１５の先端を塞ぐ閉塞部材とで構成される。
【００３６】
そして、歯科医が歯科治療を行う際に、図８Ａ、図８Ｂに示すように、管保持部１７の端部を手の指でヘッド部１１の先端に向かってスライドさせると、空気噴射管１６は、ドリル用空気流路管１４ｃの先端から離れ、ドリル挿通孔１７ｂは、ドリル１３の周辺を移動し、水開閉部１７ｃの出口の孔がヘッド部１１の水流路管１５の先端に配置される。この状態であれば、歯科医が、スイッチ１４５を操作することで、ドリル１３を回転させ、ドリル用空気流路管１４ｃの先端からの空気をドリル１３に噴射させ、水流路管１５の先端から水を噴射させることで、通常の歯科治療が可能となる。
【００３７】
一方、歯科医が空気噴射孔１８から空気を噴射させたい場合は、管保持部１７の端部を手の指でヘッド部１１の基端に向かってスライドさせると、空気噴射管１６は、ドリル用空気流路管１４ｃの先端に接近し、ドリル挿通孔１７ｂは、ドリル１３の周辺を移動し、水開閉部１７ｃの閉塞部材がヘッド部１１の水流路管１５の先端に配置され、水流路管１５の先端を閉塞する。この状態であれば、歯科医が、スイッチ１４５を操作することで、ドリル１３は回転するものの、ドリル用空気流路管１４ｃの先端から空気を空気噴射管１６で受けて空気噴射孔１８から噴射させることが可能となる。又、水開閉部１７ｃの閉塞部材が水流路管１５の先端を閉塞しているため、水が噴射することは無い。尚、この構成の場合、管保持部１７が空気噴射制御部１９として機能している。
【００３８】
＜第二の実施形態＞
本考案に係る歯科用ハンドピース１は、図９に示すように、本体部１０と、ヘッド部１１と、エアータービン１２と、ドリル１３と、空気流路管１４と、水流路管１５と、を備える。ここで、本考案の第二の実施形態に係る本体部１０と、ヘッド部１１と、エアータービン１２と、ドリル１３と、空気流路管１４と、水流路管１５とは、本考案の第一の実施形態と同様であるため、その説明を省略する。
【００３９】
本考案の第二の実施形態に係る歯科用ハンドピース１では、空気噴射管２０と、空気噴射孔２１と、管接続切替部２２と、管開閉切替部２３と、空気噴射制御部２４と、を備える。
【００４０】
空気噴射管２０は、本体部１０とヘッド部１１との内部に設けられ、先端がヘッド部１１の内部に延出され、基端が空気流路管１４の中央部の周辺に設けられる。空気噴射孔２１は、ヘッド部１１の外面で、空気噴射管２０の先端に連通して接続され、空気を本体部１０の長手方向に沿って外部に噴射するように、本体部１０の長手方向に沿って開口されている。
【００４１】
管接続切替部２２は、空気流路管１４の中央部を切り替えることで、空気流路管１４の基端から中央部までの第一の空気流路を、空気流路管１４の中央部から先端までの第二の空気流路に接続するか、空気流路管１４の中央部から空気噴射管２０の基端を介して空気噴射管２０の先端までの第三の空気流路に接続するかを切り替える。管開閉切替部２３は、水流路管１５の一部を開閉することで、水流路管１５の一部の第一の水流路の開閉を切り替える。
【００４２】
空気噴射制御部２４は、歯科医がハンドピース１を持った場合に、当該歯科医の手の指が当たる本体部１０の外面に設けられ、当該歯科医の手の指の操作により、第一の空気流路を第二の空気流路に接続するとともに、第一の水流路を開放する歯科治療モードと、第一の空気流路を第三の空気流路に接続するとともに、第一の水流路を閉塞する空気噴射モードとのいずれかに変更する。
【００４３】
これにより、第一の実施形態と同様に、歯科医の手の指の操作だけで、歯科治療中にデンタルミラーに付着の水滴等を容易に除去することが可能となる。
【００４４】
歯科医が歯科治療を行う際に、図１０Ａ、図１０Ｂに示すように、本体部１０の外面の空気噴射制御部２４を操作し、歯科治療モードに変更すると、第一の空気流路が第二の空気流路に接続され、且つ、第一の水流路が開放される。そして、歯科医が、フットペダル等を操作することで、空気流路管１４に空気が供給され、水流路管１５に水が供給される。すると、空気流路管１４の中央部を流れる空気が空気流路管１４の先端に噴射することで、エアータービン１２の回転とドリル１３の回転を可能とする。又、第一の水流路の開放により、水流路管１５の先端から水が噴射し、ドリル１３に当たり、通常の歯科治療が可能となる。
【００４５】
歯科医は、例えば、右手で歯科用ハンドピース１を握り、左手でデンタルミラー２を握り、図１１に示すように、歯科医は、デンタルミラー２のミラー部２ａを治療対象歯Ｔの周囲に配置して、歯科用ハンドピース１のドリル１３を治療対象歯Ｔに当てて歯科治療する。
【００４６】
ここで、歯科治療中に、歯科用ハンドピース１のドリル１３に噴射した水や切削屑がデンタルミラー２のミラー部２ａに付着し、ミラー部２ａが曇り、視界が悪化したとする。この場合、歯科医は、歯科治療を中断し、曇ったミラー部２ａをタオルで拭いた上で、右手で歯科用ハンドピース１を握り、左手でデンタルミラー２を握って、歯科治療を再開するが、上述のように、このような一連の作業は、非常に手間と時間が掛かる。
【００４７】
そこで、図１２Ａ、図１２Ｂに示すように、歯科医が、手の指を使って、本体部１０の外面の空気噴射制御部２４を操作し、空気噴射モードに変更すると、第一の空気流路が第三の空気流路に接続され、且つ、第一の水流路が閉塞される。すると、空気流路管１４の中央部を流れる空気が、空気噴射管２０を介して、空気噴射孔２１から、本端部１０の長手方向に沿って噴射する。又、第一の水流路の閉塞により、水流路管１５の先端からの水の噴射が停止する。
【００４８】
歯科医は、片手で歯科用ハンドピースの歯科治療モードを空気噴射モードに切り替え、ヘッド部１１の空気噴射孔２１を、曇ったミラー部２ａに近づけることで、空気噴射孔２１から噴射する空気が、ミラー部２ａに付着の水滴や切削屑を吹き飛ばす。これにより、上述と同様に、歯科医が、歯科用ハンドピース１を置いて、曇ったミラー部２ａをタオルで拭く等の一連の作業をすることなく、片手で空気噴射モードに切り替えることで、デンタルミラー２のミラー部２ａに付着の水滴や切削屑を容易に除去することが可能となる。又、噴射水を停止させることで、ミラー部２ａが噴射水により再度曇るという事態を確実に防止出来る。
【００４９】
ミラー部２ａの曇りが解消されて、視界が良好になれば、歯科医は、再度、片手で歯科用ハンドピースの空気噴射モードを歯科治療モードに切り替えることで、ドリル１３の回転と、ドリル１３への水の噴射とを再開することが出来る。つまり、歯科医は、直ぐに歯科治療を再開することが可能となる。
【００５０】
又、空気噴射の流路は、既存の空気流路管１７を有効利用するため、別途、空気用の管を歯科用ハンドピース１に設ける必要もなく、手軽に実施することが可能となる。
【００５１】
更に、第二の実施形態では、空気噴射管２０と、空気噴射孔２１と、管接続切替部２２と、管開閉切替部２３と、を歯科用ハンドピース１に内蔵する構成であるため、歯科用ハンドピース１が嵩張ることが無く、歯科医の操作性に優れる。
【００５２】
ここで、空気噴射管２０の構成に特に限定は無いが、例えば、図９に示すように、空気噴射管２０は、空気噴射管２０の基端２０ａから本体部１０の長手方向に沿って延出し、本体部１０の先端から上方に延出し、ヘッド部１１の内部の上方に沿って延出し、空気噴射管２０の先端２０ｂを空気噴射孔２１に連通して接続する構成を挙げることが出来る。
【００５３】
その他に、空気噴射管２０は、例えば、空気噴射管２０の基端２０ａから本体部１０の長手方向に沿って延出し、本体部１０の先端からヘッド部１１の内部の側面に沿って延出し、空気噴射管２０の先端２０ｂを空気噴射孔２１に連通して接続する構成を挙げることが出来る。
【００５４】
又、空気噴射孔２１の形状や数に特に限定は無く、例えば、図９に示すように、空気噴射孔２１は、ヘッド部１１の正面の中央付近に円形に一つ設けても良いし、図９の点線で示すように、複数設けても構わない。
【００５５】
又、管接続切替部２２の構成に特に限定は無いが、例えば、図９に示すように、管接続切替部２２は、空気噴射管２０の管径を空気流路管１４の管径と同等とし、空気流路管１４の中央部の一部を第一の空気切替管２２ａとして切断するとともに、第一の空気切替管２２ａと同等の管で、切断後の空気流路管１４の上流側の一端１４ａ（先端）と、空気噴射管２０の基端２０ａとのそれぞれに連通して接続可能な第二の空気切替管２２ｂとを備える。そして、管接続切替部２２は、第一の空気切替管２２ａの一端２２ａ１と他端２２ａ２のそれぞれを、切断後の空気流路管１４の上流側の一端１４ａと、切断後の空気流路管１４の下流側の一端１４ｂ（基端）とのそれぞれに連通して接続することにより、第一の空気流路を第二の空気流路に切り替える。又、管接続切替部２２は、第二の空気切替管２２ｂの一端２２ｂ１と他端２２ｂ２のそれぞれを、切断後の空気流路管１４の上流側の一端１４ａと、空気噴射管２０の基端２０ａとのそれぞれに連通して接続することにより、第一の空気流路を第三の空気流路に切り替える。このように構成しても構わない。
【００５６】
又、管開閉切替部２３の構成に特に限定は無いが、例えば、図９に示すように、管開閉切替部２３は、水流路管１５の中央部の一部を第一の水切替管２３ａとして切断するとともに、第一の水切替管２３ａの一端２３ａ１と他端２３ａ２のそれぞれを、切断後の水流路管１５の上流側の一端１５ａ（先端）と、切断後の水流路管１５の下流側の一端１５ｂ（基端）とのそれぞれに連通して接続可能に備える。そして、管開閉切替部２３は、第一の水切替管２３ａの一端２３ａ１と他端２３ａ２のそれぞれを、切断後の水流路管１５の上流側の一端１５ａと、切断後の水流路管１５の下流側の一端１５ｂとのそれぞれに連通して接続することにより、第一の水流路を開放する。管開閉切替部２３は、第一の水切替管２３ａの一端２３ａ１と他端２３ａ２のそれぞれを、切断後の水流路管１５の上流側の一端１５ａと、切断後の水流路管１５の下流側の一端１５ｂとのそれぞれから外すことにより、第一の水流路を閉塞する。このように構成しても構わない。
【００５７】
又、空気噴射制御部２４の構成に特に限定は無いが、例えば、図９に示すように、本体部１０の外面で、本体部１０の幅方向（径方向）に沿って押圧可能な突出部２４ａ（スイッチ）と、本体部１０の内部で、第一の空気切替管２２ａと、第二の空気切替管２２ｂと、第一の水切替管２３ａとを、本体部１０の幅方向（径方向）に沿ってスライド可能に保持する管スライド保持部２４ｂと、本体部１０の内部で、突出部２４ａと対向する位置に設けられ、管スライド保持部２４ｂを突出部２４ａに向かって付勢する付勢部２４ｃ（例えば、スプリング、バネ等）と、を備える。
【００５８】
ここで、管スライド保持部２４ｂは、図９に示すように、内部で、第一の空気切替管２２ａと、第二の空気切替管２２ｂとを交差させずに、第一の空気切替管２２ａと、第二の空気切替管２２ｂと、第一の水切替管２３ａとを、これらの順番で、本体部１０の幅方向に沿って保持する。
【００５９】
そして、図１０Ａ、図１０Ｂ、図１１に示すように、突出部２４ａが付勢部２４ｃにより付勢されている場合、言い換えると、歯科医が、手の指で空気噴射制御部２４の突出部２４ａを押下していない場合、管スライド保持部２４ｂは、第一の空気切替管２２ａの一端２２ａ１と他端２２ａ２のそれぞれを、切断後の空気流路管１４の上流側の一端１４ａと、切断後の空気流路管１４の下流側の一端１４ｂとのそれぞれに連通して接続するとともに、第一の水切替管２３ａの一端２３ａ１と他端２３ａ２のそれぞれを、切断後の水流路管１５の上流側の一端１５ａと、切断後の水流路管１５の下流側の一端１５ｂとのそれぞれに連通して接続する。この際、第二の空気切替管２２ｂの接続は外される。
【００６０】
一方、図１２Ａ、図１２Ｂ、図１３に示すように、突出部２４ａが付勢部２４ｃの付勢に抗して押下されている場合、言い換えると、歯科医が、手の指で空気噴射制御部２４の突出部２４ａを押下している場合、管スライド保持部２４ｂは、第一の空気切替管２２ａの接続と、第一の水切替管２３ａの接続とを外すとともに、第二の空気切替管２２ｂの一端２２ｂ１と他端２２ｂ２のそれぞれを、切断後の空気流路管１４の上流側の一端１４ａと、空気噴射管２０の基端２０ａとのそれぞれに連通して接続する。
【００６１】
このように構成すると、歯科医が、手の指で空気噴射制御部２４の突出部２４ａを押下しない場合は、歯科用ハンドピース１の空気噴射制御部２４は、自動的に歯科治療モードにし、歯科医が、手の指で空気噴射制御部２４の突出部２４ａを押下した場合は、歯科用ハンドピース１の空気噴射制御部２４は、自動的に空気噴射モードにするため、手の指の操作により、簡単に歯科治療モードと空気噴射モードとを切り替えることが可能となる。
【００６２】
又、上述では、空気噴射制御部２４の突出部２４ａの不押下により、歯科治療モードになり、空気噴射制御部２４の突出部２４ａの押下により、空気噴射モードになったが、逆の構成であっても構わない。
【００６３】
例えば、図１４Ａに示すように、管スライド保持部２４ｂは、内部で、第一の空気切替管２２ａと、第二の空気切替管２２ｂとを交差させ、第一の空気切替管２２ａの一端２２ａ１と、第二の空気切替管２２ｂの一端２２ｂ１との配置を入れ替えた状態で、第一の空気切替管２２ａと、第二の空気切替管２２ｂと、第一の水切替管２３ａとを、これらの順番で、本体部１０の幅方向に沿って保持する。
【００６４】
すると、突出部２４ａが付勢部２４ｃの付勢に抗して押下されている場合、管スライド保持部２４ｂは、第一の空気切替管２２ａの一端２２ａ１と他端２２ａ２のそれぞれを、切断後の空気流路管１４の上流側の一端１４ａと、切断後の空気流路管１４の下流側の一端１４ｂとのそれぞれに連通して接続するとともに、第一の水切替管２３ａの一端２３ａ１と他端２３ａ２のそれぞれを、切断後の水流路管１５の上流側の一端１５ａと、切断後の水流路管１５の下流側の一端１５ｂとのそれぞれに連通して接続する。
【００６５】
一方、突出部２４ａが付勢部２４ｃにより付勢されている場合、管スライド保持部２４ｂは、第一の空気切替管２２ａの接続と、第一の水切替管２３ａの接続とを外すとともに、第二の空気切替管２２ｂの一端２２ｂ１と他端２２ｂ２のそれぞれを、切断後の空気流路管１４の上流側の一端１４ａと、空気噴射管２０の基端２０ａとのそれぞれに連通して接続する。
【００６６】
このように構成することで、空気噴射制御部２４の突出部２４ａの押下により、歯科治療モードにし、空気噴射制御部２４の突出部２４ａの不押下により、空気噴射モードにすることが可能となる。
【００６７】
又、上述では、管スライド保持部２４ｂがスライドすることで、第一の空気切替管２２ａと、第二の空気切替管２２ｂと、第一の水切替管２３ａとをスライドさせて、第二の空気流路又は第二の空気流路の切り替えと、第一の水流路の開閉の切り替えを行ったが、他の構成で行っても構わない。
【００６８】
管接続切替部２２は、例えば、図１４Ｂに示すように、空気流路管１４の中央部の一部に分岐管２２ｃを設け、分岐管２２ｃの先端２２ｃ１に空気噴射管２０の基端２０ａを連通して接続することで、空気流路管１４と空気噴射管２０とをＹ字流路に構成し、空気流路管１４の分岐部分１４ｃと、空気噴射管２０の分岐部分２０ｂとのいずれかを閉塞する空気閉塞弁２２ｄとを設け、空気閉塞弁２２ｄで空気噴射管２０の分岐部分２０ｂを閉塞することで、第一の空気流路を第二の空気流路に接続し、空気閉塞弁２２ｄで空気流路管１４の分岐部分１４ｃを閉塞することで、第一の空気流路を第三の空気流路に接続するよう構成しても良い。
【００６９】
又、管開閉切替部２３は、図１４Ｂに示すように、水流路管１５の中央部の一部に、当該水流路管１５を閉塞可能な水閉塞弁２３ｂを設け、水閉塞弁２３ｂを水流路管１５の中央部の一部の側面に位置することで、第一の水流路を開放し、水閉塞弁２３ｂで水流路管１５の中央部の一部を閉塞することで、第一の水流路を閉塞するよう構成しても良い。
【００７０】
更に、空気噴射制御部２４は、図１４Ｂに示すように、本体部１０の外面で、本体部１０の幅方向に沿って押圧可能な突出部２４ａと、突出部２４ａの不押下により、空気閉塞弁２２ｄで空気噴射管２０の分岐部分２０ｂを閉塞し、突出部２４ａの押下により、空気閉塞弁２２ｄで空気流路管１４の分岐部分１４ｃを閉塞する空気閉塞弁制御部２４ｄと、突出部２４ａの不押下により、水閉塞弁２３ｂを水流路管１５の中央部の一部の側面に位置させ（退避させ）、突出部２４ａの押下により、水閉塞弁２３ｂで水流路管１５の中央部の一部を閉塞する水閉塞弁制御部２４ｅと、を備えるよう構成しても良い。
【００７１】
尚、上述と同様に、歯科治療モードと空気噴射モードとの変更について、空気閉塞弁制御部２４ｄは、突出部２４ａの不押下により、空気閉塞弁２２ｄで空気流路管１４の分岐部分１４ｃを閉塞し、突出部２４ａの押下により、空気閉塞弁２２ｄで空気噴射管２０の分岐部分２０ｂを閉塞し、水閉塞弁制御部２４ｅは、突出部２４ａの不押下により、水閉塞弁２３ｂで水流路管１５の中央部の一部を閉塞し、突出部２４ａの押下により、水閉塞弁２３ｂを水流路管１５の中央部の一部の側面に位置させて、歯科治療モードと空気噴射モードとの変更を逆の構成としても構わない。
【産業上の利用可能性】
【００７２】
以上のように、本考案に係る歯科用ハンドピースは、歯科用ハンドピースに限らず、外科用ハンドピース等、あらゆるハンドピースとして有用であり、歯科用ハンドピースの既存の空気流路管を有効利用し、歯科治療中にデンタルミラーに付着の水滴を容易に除去することが可能な歯科用ハンドピースとして有効である。
【符号の説明】
【００７３】
１  歯科用ハンドピース
１０  本体部
１１  ヘッド部
１２  エアータービン
１３  ドリル
１４  空気流路管
１５  水流路管
１６  空気噴射管
１７  管保持部
１８  空気噴射孔
１９  空気噴射制御部
２０  空気噴射管
２１  空気噴射孔
２２  管接続切替部
２３  管開閉切替部
２４  空気噴射制御部
【図１】
0003225830.tif 000003
【図２】
0003225830.tif 000004
【図３】
0003225830.tif 000005
【図４】
0003225830.tif 000006
【図５】
0003225830.tif 000007
【図６】
0003225830.tif 000008
【図７】
0003225830.tif 000009
【図８】
0003225830.tif 000010
【図９】
0003225830.tif 000011
【図１０】
0003225830.tif 000012
【図１１】
0003225830.tif 000013
【図１２】
0003225830.tif 000014
【図１３】
0003225830.tif 000015
【図１４】
0003225830.tif 000016